(57)【要約】      （修正有）【課題】サンバイザに安定して係止することができ、従来と異なる表現方法を用いて顧客の注意を惹くことが可能なサンバイザ係止パネルを提供する。【解決手段】サンバイザ係止パネル１は、天井面と、フロントガラスと、所定距離を置いて天井面に取り付けられた第１及び第２固定手段と、この２つの固定手段により固定した回動軸と、この周りに回動自在に装着されたサンバイザと、を備える車両内において、サンバイザに装着可能な上方の装着部１０と、連結線２を境にしてその下方に連結された表示部２０とで構成され、上下方向と幅方向とを有し、表面１Ｆと裏面１Ｂとを有するパネルであり、回動軸と天井面、および、２つの固定手段とが形成する、幅が前記所定距離であるスリットに、装着部１０を挿入して装着し、表示部２０の表面又は裏面を表示面としてフロントガラスに対向させ、表示面に表現したメッセージを表示する。【選択図】図１
0003234391.tif 000002
【実用新案登録請求の範囲】
【請求項１】
天井面と、フロントガラスと、
所定距離を置いて該天井面に取り付けられた２つの固定手段（第１固定手段及び第２固定手段）と、
該２つの固定手段により、該天井面及び該フロントガラスに平行に固定した回動軸（以下、この固定した回動軸を単に「回動軸」と呼ぶ）と、
該回動軸の周りに回動自在に装着され、該天井面から該フロントガラス方向へ開閉可能な矩形板状のサンバイザと、を備える車両内において、
前記サンバイザに装着可能な上方の装着部と、連結線を境にして該装着部の下方に連結された表示部とで構成され、上下方向と幅方向とを有する２次元状で、表面と裏面とを有するパネルであって、
前記回動軸と前記天井面、および、前記第１固定手段と前記第２固定手段とが形成する、該回動軸に沿った幅が前記所定距離であるスリットに、前記装着部を挿入して装着し、
該装着部と連結された前記表示部の表面又は裏面を表示面として前記フロントガラスに対向させ、該表示面に表現したメッセージを表示するサンバイザ係止パネル。
【請求項２】
請求項１に記載のサンバイザ係止パネルは、前記表面と前記裏面とが境界端部で画定されており、
前記表示部に、相互に平行となるように穿設された複数の差込みスリットの組が１組以上設けられたサンバイザ係止パネル。
【請求項３】
前記表示部において、前記境界端部間の前記幅方向の最大幅（以下、単に「表示部の最大幅」という）は、２００ｍｍ以上、４５０ｍｍ以下である、請求項２に記載のサンバイザ係止パネル。
【請求項４】
前記表示部において、前記境界端部が前記連結線と平行な下端部を有しており、
該下端部に、これと平行に直線状の補強部材を取り付けた、請求項３に記載のサンバイザ係止パネル。
【請求項５】
前記装着部は、
該装着部を前記スリットに挿入して前記サンバイザに装着した際に、
前記回動軸に当接して係止される係止部と、
その上端が該係止部の下端と屈曲可能に連結され、その下端が前記連結線と一致して前記表示部と連結され、該係止部と該表示部とを接続する接続部と、
その下端が該係止部の上端と屈曲可能に連結され、該接続部との間に該サンバイザを挟み込む挟持部と、を含み、
前記装着部を前記スリットに挿入し、前記接続部と前記挟持部との間に前記サンバイザを挟み込み、前記係止部が前記回動軸に当接してこれに係止されて、前記装着部を前記サンバイザに装着する、請求項１に記載のサンバイザ係止パネル。
【請求項６】
前記装着部を構成する挟持部と係止部と接続部における最大幅（以下、単に「装着部の最大幅」という）は、
前記スリットの幅を画定する前記第１固定手段と前記第２固定手段間の前記所定距離よりも小さいことを特徴とする、請求項３に記載のサンバイザ係止パネル。
【請求項７】
前記装着部の最大幅は、１００ｍｍ以上、２００ｍｍ未満である、請求項６に記載のサンバイザ係止パネル。
【請求項８】
前記装着部の最大幅は、１５０ｍｍ以上、１９０ｍｍ以下である、請求項６に記載のサンバイザ係止パネル。
【請求項９】
前記装着部が前記サンバイザに装着された前記サンバイザ係止パネルにおいて、
前記装着部の最大幅は、前記表示部の最大幅の２５％以上４４％未満である、請求項３、請求項６に記載のサンバイザ係止パネル。
【請求項１０】
前記装着部が前記サンバイザに装着された前記サンバイザ係止パネルにおいて、
前記装着部の最大幅は、前記表示部の最大幅の３３％以上４２％以下である、請求項３、請求項６に記載のサンバイザ係止パネル。
【請求項１１】
前記装着部において、前記挟持部に切欠きを設け、該装着部を前記サンバイザに装着した際に、前記天井面と該サンバイザの上面間に挟み込まれた該装着部の該切欠きを下方に起立させて該サンバイザの下面に当接させ、該装着部と該切欠きとで該サンバイザを挟持可能な、請求項６に記載のサンバイザ係止パネル。
【請求項１２】
上下及び左右の端部に画された表面と裏面とを有する矩形状であり、該上下の端部又は左右の両端部にそれぞれ差込み部（上差込み部と下差込み部又は左差込み部と右差込み部）を設けた表示カードを、
前記複数の差込みスリットの組の各組から選んだ２つの差込みスリットに前記両端部の差込み部をそれぞれ差し込んで、フロントガラス側に凸状に湾曲し得ることを特徴とする、請求項２に記載のサンバイザ係止パネル。
【請求項１３】
前記表示カードは、文字、図形、記号あるいは色又はこれらの組み合わせによる表現を、前記表面及び／又は前記裏面に表示し得る、請求項１２に記載のサンバイザ係止パネル。
【請求項１４】
前記第１固定手段は前記天井面に取り付けられた軸受部であり、
前記第２固定手段は、前記天井面から突出し、略直角に折曲して回動軸と連結する縦軸部である、請求項１に記載のサンバイザ係止パネル。
【考案の詳細な説明】
【技術分野】
【０００１】
本考案は、サンバイザ係止パネルに関する。
【背景技術】
【０００２】
特許文献１は、「自動車のフロントガラスにおける車室内側に設けられることで、車両の価格等の情報を車両外部から視認できる表示具であって、前記情報が記載された表示紙が差し込まれる長方形状で、ポリプロピレンで形成されている複数の表示紙収納部と、前記フロントガラスに固定するための吸盤と、前記表示紙収納部の前記表示紙を差し込み可能な上半部位、下半部位におけるそれぞれの連結線における幅方向両端部に形成されている吸盤装着部と、によって構成されていることを特徴とする表示具」に係る考案を開示している。特許文献１によれば、表示具を利用して車両の価格だけでなく、車両の装備品の特徴といった情報を、消費者に対して把握しやすいような位置に表示することができる。
【０００３】
特許文献１のような表示具は、車両のフロントガラスの内側から、４つの吸盤で固定するため、フロントガラスのどのような位置にでも取り付けることができる。このようなフロントガラスに吸盤で固定する表示具は一般的であり、種々の考案がなされている。また、以下の特許文献２、３には、ダッシュボードやサンバイザを利用して設置する表示具が開示されている。
【０００４】
すなわち、特許文献２は、「自動車のダッシュボード上に位置づけられてその自動車についての価格などの情報をフロントウインドウの内方から外部に向けて表示する表示具であって、表面を表示面とすると共に、上辺部にルームミラー又はサンバイザに後方から支持される被支持部とすると共に、この被支持部を表示板の上辺部よりも上方に移動可能にこの表示板の裏面に備えられたスライドホルダーとを備えてなる表示具」に係る考案を開示している。
【０００５】
また、特許文献３は、「車室内天井面と、該車室内天井面に沿うように回動位置付けられたサンバイザ上面との間に差し入れられる差し込み板部と、この差し込み板部から屈曲状に備えられてフロントガラスの側に取付面を向かい合わせた装着板部とを備えた指示板と、この支持板の前記装着板部の取付面に着脱可能に取り付けられた自動車の価格等の表示面を備えた表示板とよりなり、この表示板の表示面が、前記車室内天井面とサンバイザ上面との間に前記指示板の差し込み板部を差し入れた際に、車室外より視認可能としてあることを特徴とする自動車の価格等の表示板」に係る考案を開示している。
【０００６】
【特許文献１】実用新案登録第３２０１６８３号公報
【特許文献２】特開２０１０−８７７９号公報
【特許文献３】実用新案登録第３１００１００号公報
【考案の概要】
【考案が解決しようとする課題】
【０００７】
この様に、フロントガラス越しに中古車等に関する情報を提供する表示具には、種々のタイプが存在するが、どの表示具も情報の表現が平面的で代り映えせず、顧客の注意を惹く表現方法に乏しい。特許文献２、３の表示具は設置方法に工夫がなされているが、特許文献２のダッシュボードに設置する表示具は構成要素が多く、特許文献３のサンバイザを利用して設置する表示具も構成要素が多いほか、サンバイザに安定して固定するのが困難である。
【０００８】
そこで、本考案は、サンバイザに安定して係止することができ、従来と異なる表現方法を用いて顧客の注意を惹くことが可能なサンバイザ係止パネルを提供する。
【課題を解決するための手段】
【０００９】
本考案に係るサンバイザ係止パネルは、天井面と、フロントガラスと、所定距離を置いて該天井面に取り付けられた２つの固定手段（第１固定手段及び第２固定手段）と、該２つの固定手段により、該天井面及び該フロントガラスに平行に固定した回動軸（以下、この固定した回動軸を単に「回動軸」と呼ぶ）と、該回動軸の周りに回動自在に装着され、該天井面から該フロントガラス方向へ開閉可能な矩形板状のサンバイザと、を備える車両内において、
前記サンバイザに装着可能な上方の装着部と、連結線を境にして該装着部の下方に連結された表示部とで構成され、上下方向と幅方向とを有する２次元状で、表面と裏面とを有するパネルであって、
前記回動軸と前記天井面、および、前記第１固定手段と前記第２固定手段とが形成する、該回動軸に沿った幅が前記所定距離であるスリットに、前記装着部を挿入して装着し、該装着部と連結された前記表示部の表面又は裏面を表示面として前記フロントガラスに対向させ、該表示面に表現したメッセージを表示する。
【００１０】
上記サンバイザ係止パネルは、前記表面と前記裏面とが境界端部で画定されており、前記表示部に、相互に平行となるように穿設された複数の差込みスリットの組が１組以上設けられている。
【００１１】
本考案に係るサンバイザ係止パネルは、前記表示部において、前記境界端部間の前記幅方向の最大幅（以下、単に「表示部の最大幅」という）は、２００ｍｍ以上、４５０ｍｍ以下が好適である。
【００１２】
本考案に係るサンバイザ係止パネルは、前記表示部において、前記境界端部が前記連結線と平行な下端部を有しており、該下端部に、これと平行に直線状の補強部材を取り付けるのが好適である。
【００１３】
本考案に係るサンバイザ係止パネルは、前記装着部において、該装着部を前記スリットに挿入して前記サンバイザに装着した際に、前記回動軸に当接して係止される係止部と、その上端が該係止部の下端と屈曲可能に連結され、その下端が前記連結線と一致して前記表示部と連結され、該係止部と該表示部とを接続する接続部と、その下端が該係止部の上端と屈曲可能に連結され、該接続部との間に該サンバイザを挟み込む挟持部と、を含み、前記装着部を前記スリットに挿入し、前記接続部と前記挟持部との間に前記サンバイザを挟み込み、前記係止部が前記回動軸に当接してこれに係止されて、前記装着部を前記サンバイザに装着する。
【００１４】
本考案に係るサンバイザ係止パネルにおいて、前記装着部を構成する挟持部と係止部と接続部における最大幅（以下、単に「装着部の最大幅」という）は、前記スリットの幅を画定する前記第１固定手段と前記第２固定手段間の前記所定距離よりも小さいことを特徴とする。
【００１５】
本考案に係るサンバイザ係止パネルにおいて、前記装着部の最大幅は、１００ｍｍ以上、２００ｍｍ未満が好ましい。
【００１６】
本考案に係るサンバイザ係止パネルにおいて、前記装着部の最大幅は、１５０ｍｍ以上、１９０ｍｍ以下が更に好適である。
【００１７】
前記装着部が前記サンバイザに装着された前記サンバイザ係止パネルにおいて、前記装着部の最大幅は、前記表示部の最大幅の２５％以上４４％未満が好適である。
【００１８】
前記装着部が前記サンバイザに装着された前記サンバイザ係止パネルにおいて、前記装着部の最大幅は、前記表示部の最大幅の３３％以上４２％以下が更に好適である。
【００１９】
本考案に係るサンバイザ係止パネルの前記装着部において、前記挟持部に切欠きを設け、該装着部を前記サンバイザに装着した際に、前記天井面と該サンバイザの上面間に挟み込まれた該装着部の該切欠きを下方に起立させて該サンバイザの下面に当接させ、該装着部と該切欠きとで該サンバイザを挟持可能としてもよい。
【００２０】
本考案に係るサンバイザ係止パネルは、上下及び左右の端部に画された表面と裏面とを有する矩形状であり、該上下の端部又は左右の両端部にそれぞれ差込み部（上差込み部と下差込み部又は左差込み部と右差込み部）を設けた表示カードを、前記複数の差込みスリットの組の各組から選んだ２つの差込みスリットに前記両端部の差込み部をそれぞれ差し込んで、フロントガラス側に凸状に湾曲し得ることを特徴とする。
【００２１】
本考案に係るサンバイザ係止パネルにおいて、前記表示カードは、文字、図形、記号あるいは色又はこれらの組み合わせによる表現を、前記表面及び／又は前記裏面に表示し得る。
【００２２】
本考案に係るサンバイザ係止パネルにおいて、前記第１固定手段は前記天井面に取り付けられた軸受部であり、前記第２固定手段は、前記天井面から突出し、略直角に折曲して回動軸と連結する縦軸部であってよい。
【００２３】
本考案に係るサンバイザ係止パネルの使用方法は、
（１）装着部と表示部とが連結されたサンバイザ係止パネルを準備するステップと、
（２）複数の表示カードを準備するステップと、
（３）前記表示部に穿設された差込みスリットの組に、それぞれ適当な表示の前記表示カードを差し込んで、所望のメッセージを表現するステップと、
（４）前記装着部を車両内のスリットに挿入し、該装着部をサンバイザに装着するステップと、
（５）前記スリット内で前記装着部の配置を調整し、前記表示部の鉛直方向に対する姿勢を調整するステップと、を含む。  
【考案の効果】
【００２４】
本考案に係るサンバイザ係止パネルは、表示部と装着部が連結される構成であり、サンバイザに装着する装着部が、接続部と係止部と挟持部とが屈曲可能に連結されて構成される。サンバイザへの装着時には、接続部と挟持部との間にサンバイザを挟み込み、係止部が回動軸に当接してこれに係止されるので、装着部を安定してサンバイザに装着することができる。
【００２５】
本考案に係るサンバイザ係止パネルは、表示部の境界端部の最大幅を４５０ｍｍ以下の近傍とし、顧客の視覚に訴えると共に、あらゆるサイズの車種に対応できるように設計した。そして、表示部と連結する装着部の幅を、望ましくは１００ｍｍ以上、２００ｍｍ未満、より好適には１５０ｍｍ以上、１９０ｍｍ以下とし、装着部を挿入するサンバイザと天井面間で装着部を動かすための空間的余裕を設けた。このため、本考案のサンバイザ係止パネルは、サンバイザに装着する際に、この装着部に連結する表示部を鉛直方向に真っすぐに向くように、容易に調整することができる。
【００２６】
また、本考案に係るサンバイザ係止パネルは、複数の差込みスリットの組の各組から選んだ２つの差込みスリットに、表示カードの両端部をそれぞれ差し込んで、フロントガラス側に凸状に湾曲させて、様々なメッセージをフロントガラス越しに表示することができる。
【００２７】
複数の差込みスリットから成る差込みスリットの組において、選択する２つの差込みスリット間の距離によって、表示カードの湾曲度を効果的に調整することができる。従来の表示板は平面状にメッセージを表示していたため、表示カードを湾曲させ、フロントガラス方向に突出させる本考案のサンバイザ係止パネルの表示メッセージは、顧客の注意を惹起し、情報伝達や広告・宣伝効果を著しく向上させることができる。
【図面の簡単な説明】
【００２８】
【図１】本考案に係るサンバイザ係止パネルの正面図。
【図２】本考案に係るサンバイザ係止パネルと複数の表示カードの正面図。
【図３】本考案に係る別の態様のサンバイザ係止パネルと複数の表示カードの正面図。
【図４】本考案に係る表示カードを装着したサンバイザ係止パネルの斜視図。
【図５】天井に取り付けられた第１固定手段、第２固定手段、回動軸および（ａ）回動軸に装着するサンバイザの上面の分解模式図、（ｂ）回動軸に装着したサンバイザの上面の模式図。
【図６】天井に取り付けられたサンバイザの、（ａ）閉状態の下面の斜視図、（ｂ）開状態の上面の正面図。
【図７】折曲させて車のサンバイザに係止（装着）させた、本考案に係るサンバイザ係止パネルの裏面図。
【図８】車のフロントガラスに表示部を対向させて、フロントガラス越しにメッセージを表示する、本考案に係るサンバイザ係止パネルの正面図。
【図９】本考案の実施例に係るサンバイザ係止パネルの（ａ）表示板と複数の表示カードの正面図、（ｂ）表示カードをセットしたサンバイザ係止パネルの正面図、（ｃ）表示カードをセットしたサンバイザ係止パネルの他の態様の正面図。
【図１０（ａ）】本考案の実施例に係るサンバイザ係止パネルの正面図及び背面図。
【図１０（ｂ）】本考案の実施例に係るサンバイザ係止パネルの右側面図、左側面図及びこれらの部分拡大図。
【図１０（ｃ）】本考案の実施例に係るサンバイザ係止パネルの平面図、底面図及びこれらの断面図、部分拡大図。
【図１０（ｄ）】本考案の実施例に係るサンバイザ係止パネルの使用状態を表す参考図。
【図１１】（ａ）本考案の実施例に係るサンバイザ係止パネルの正面図、（ｂ）サンバイザに装着された実施例に係るサンバイザ係止パネルの裏面図、（ｃ）サンバイザに装着された実施例に係るサンバイザ係止パネルの側面図。
【考案を実施するための形態】
【００２９】
以下、図面を参照しながら本考案に係るサンバイザ係止パネルの実施形態及び実施例について説明する。なお、以下各図面を通して同一の構成要素には同一の符号を使用するものとする。
【００３０】
［サンバイザ係止パネル］
サンバイザ係止パネル１
【００３１】
本考案に係るサンバイザ係止パネル１は、図７、図８に示すように、車両１００内に取り付けられたサンバイザ１１０に装着可能なパネルである。
【００３２】
一般的な車両１００は、図７のように、天井面１０２と、フロントガラス１０４と、天井面１０２からフロントガラス１０４方向へ開閉可能な矩形板状のサンバイザ１１０と、を備える。そして、サンバイザ１１０は、原理的には、図５（ａ）のように所定距離を置いて天井面１０２に取り付けられた２つの固定手段である第１固定手段１０７及び第２固定手段１０８により、天井面１０２及びフロントガラス１０４に平行に固定し得る回動軸１０９に、図５（ｂ）のように回動軸１０９の周りに回動自在に装着される。図６（ａ）は天井１０２に取り付けられた、閉状態におけるサンバイザ１１０の下面の斜視図、図６（ｂ）は開状態におけるサンバイザ１１０の上面の正面図である。
【００３３】
なお、車種によって、回動軸１０９は２つの固定手段（第１固定手段１０７、第２固定手段１０８）と着脱可能な場合もあるが、以下本明細書では、特に断らない限り、２つの固定手段により天井面１０２及びフロントガラス１０４に平行に固定した状態の回動軸を、単に「回動軸」と呼ぶこととする。
【００３４】
本考案に係るサンバイザ係止パネル１は、図１に示すように、サンバイザ１１０に装着可能な上方の装着部１０と、連結線２を境にして装着部１０の下方に連結された表示部２０とで構成され、図１のように上下方向と幅方向（左右方向）とを有する２次元状で、表面１Ｆと裏面１Ｂ（図示せず）を有している。そして、サンバイザ係止パネル１は、図５（ｂ）のように回動軸１０９と天井面１０２、および、第１固定手段１０７と第２固定手段１０８とが形成する、回動軸１０９に沿った幅が上記所定距離であるスリット１１１に、装着部１０を挿入して装着する。装着部１０と連結された表示部２０の表面１Ｆ又は裏面１Ｂを表示面としてフロントガラス１０４に対向させ、当該表示面に表現したメッセージを表示する。
【００３５】
なお、図５（ａ）、（ｂ）には、固定手段１０６（第１固定手段１０７及び第２固定手段１０８）を原理的に示したが、市場には何種類かのバリエーションが存在している。例えば、図６（ｂ）に示す固定手段１０６では、第１固定手段１０７は天井面１０２に取り付けられた軸受部である。また、第２固定手段１０８は、天井面１０２から突出し、略直角に折曲して回動軸１０９と直に連結する縦軸部である。この縦軸部（第２固定手段）１０８は、回動軸１０９と一体成形され、縦軸部（第２固定手段）１０８が天井面１０２内で回転することにより、回動軸１０９が連動して天井面１０２と平行な面内で回転できる機構となっている。このように固定手段１０６（第１固定手段１０７及び第２固定手段１０８）にはいくつかのバリエーションが存在するが、本考案においては、図５（ｂ）のように、回動軸１０９、天井面１０２、および、固定手段１０６（第１固定手段１０７及び第２固定手段１０８）がスリット１１１を形成するタイプの固定手段１０６であれば、その態様は特に限定されない。
【００３６】
装着部１０
本考案に係るサンバイザ係止パネル１において、装着部１０は、図１に示すように、装着部１０をスリット１１１（図５（ｂ）参照）に挿入した際に、サンバイザ１１０の回動軸１０９に当接して係止される係止部１４と、その上端が係止部１４の下端と屈曲可能に連結され、その下端が連結線２と一致して表示部２０と連結され、係止部１４と表示部２０とを接続する接続部１６と、その下端が係止部１４の上端と屈曲可能に連結され、接続部１６との間にサンバイザ１１０を挟み込む挟持部１２と、を含む。サンバイザ１１０への装着時には、装着部１０をスリット１１１に挿入し、接続部１６と挟持部１２との間にサンバイザ１１０を挟み込み、係止部１４が回動軸１０９に当接してこれに係止されて、装着部１０をサンバイザ１１０に安定的に装着することができる。
【００３７】
上述のように、第１固定手段１０７と第２固定手段１０８間の距離は、予め定まった上記所定距離であるので、固定手段１０６（第１固定手段１０７と第２固定手段１０８）により画される回動軸１０９（及び天井面１０２）と平行方向のスリット１１１の幅も、固定手段１０６間の上記所定距離である。したがって、装着部１０をスリット１１１に挿入してサンバイザ１１０に装着（係止）させるには、図１、図３に示す、装着部１０を構成する挟持部１２と係止部１４と接続部１６における最大幅Ａ（以下、単に「装着部の最大幅Ａ」又は「最大幅Ａ」ともいう）は、スリット１１１の幅を画定する第１固定手段１０７と第２固定手段１０８間の上記所定距離よりも小さくする必要がある（図７参照）。
【００３８】
表示部２０
次に、図１のように、上記装着部１０と連結線２を境にしてその下方に連結される表示部２０について説明する。本考案に係るサンバイザ係止パネル１は、図７に示すように、回動軸１０９と表示部２０上端部に位置する連結線２（図１参照）とが平行となるように装着部１０がスリット１１１に挿入され、スリット１１１の下端となる回動軸１０９（図５（ａ）、（ｂ）参照）、すなわちサンバイザ１１０の上端に装着部１０の係止部１４が平行に当接して係止され、サンバイザ１１０に装着される。連結線２と回動軸１０９とは平行になるように装着部１０がサンバイザ１１０に装着されることにより、表示部２０の上下方向が鉛直方向に一致し、所望の姿勢で表示部２０の表示面をフロントガラス１０４に対向させることができる。
【００３９】
サンバイザ係止パネル１は、表面１Ｆと裏面１Ｂとが境界端部１Ｓで画定されており、図１に示す表示部２０において、この境界端部１Ｓは長方形状であり、上端左部２０ＵＬ、上端右部２０ＵＲ，左端部２０Ｌ、右端部２０Ｒ、下端部２０Ｄである。そして表示部２０には、相互に平行となるように穿設された複数の差込みスリット３０の組３０Ｇｉ（ｉ＝１，２、・・・）が、少なくとも１組以上設けられる。
【００４０】
図１において、複数の差込みスリット３０の組３０Ｇｉ（ｉ＝１、２、・・・）は４組（ｉ＝１、２、３、４）であり、各組３０Ｇｉ（ｉ＝１，２、３、４）において、相互に平行となるように穿設された複数の差込みスリット３０の数は３個である。本考案に係るサンバイザ係止パネル１は、以下に詳述するが、図４のように、複数の差込みスリットの組３０Ｇｉ（ｉ＝１、２、・・・）の各組から選んだ２つの差込みスリット３０に、表示面に文字等を表示した表示カード５０の両端部をそれぞれ差し込んで、表示部２０の表面及び／又は裏面に表現したメッセージないしは情報を表示することができる。
【００４１】
差込みスリット３０の組３０Ｇｉ（ｉ＝１、２、・・・）において、１組の差込みスリット３０は、図１又は図２のように装着部１０から表示部２０方向（以下、単に「上下方向」という）に相互に平行となるように穿設されてもよく、図３のように、装着部１０から表示部２０方向とは直角となる方向（以下、単に「幅方向」又は「左右方向」という）に、相互に平行となるように穿設されてもよく、１組の差込みスリット３０が相互に平行となるように穿設される方向は任意であってよい。図２において、差込みスリット３０の組３０Ｇｉ（ｉ＝１、２、３、４）は、幅方向（左右方向）に４組配置され、図３において３０Ｇｉ（ｉ＝１、２、３、４）は、上下方向に２組配置されている。
【００４２】
上述のように、本考案に係るサンバイザ係止パネル１は、図７や図８のように、表示部２０の表面及び／又は裏面に表現したメッセージないしは情報をフロントガラス１０４越しに表示するため、表示部２０は視覚に訴える好適なサイズである必要がある。本考案に係るサンバイザ係止パネル１をサンバイザ１１０に装着した場合（図７参照）、表示部２０において、境界端部１Ｓ間の幅方向の最大幅Ｂ（（以下、単に「表示部２０の最大幅Ｂ」又は「最大幅Ｂ」ともいう）（図１参照）は、２００ｍｍ以上、４５０ｍｍ以下であることが望ましい。
【００４３】
表示部２０の最大幅Ｂが４５０ｍｍより大きいと、サンバイザ１１０に装着した本考案のサンバイザ係止パネル１のドア側の境界端部１Ｓ（図１において２０Ｌ又は２０Ｒ）が、軽自動車のような車幅の狭い車種のドア機構に接触して、表示部２０を天井面１０２と垂直方向（以下、「鉛直方向」ともいう）に真っすぐ表示できなくなる場合がある。また、表示部２０の最大幅Ｂが２００ｍｍより小さいと、表示部２０に表示する文字、図形等が小さくなり、メッセージないしは情報を効果的に表現できなくなる恐れがある。したがって、十分な大きさでメッセージを発信し、かつ、車幅が普通車以下のあらゆる車種で鉛直方向に真っすぐ表示できる好適な表示部２０の境界端部１Ｓの最大幅Ｂ（表示部２０の最大幅Ｂ）は、４５０ｍｍ以下の近傍の数十ｍｍ程度である。
【００４４】
本考案のサンバイザ係止パネル１を普通車や軽自動車に用いる場合、上記のように、表示部２０の境界端部１Ｓの最大幅Ｂを最適値の４５０ｍｍとすると、表示部２０と連結する装着部１０（挟持部１２、係止部１４、接続部１６）の最大幅Ａは、１００ｍｍ以上、２００ｍｍ未満が望ましい（図１〜図３参照）。最大幅Ａは、上述のように、固定手段１０６（第１固定手段１０７と第２固定手段１０８）間の所定距離よりも小さくする必要があるが、最大幅Ａを、この所定距離よりも小さいものの２００ｍｍ以上とすると、この装着部１０に連結する表示部２０を鉛直方向に真っすぐ表示するための遊びがなくなる。遊びとは、固定手段１０６（第１固定手段１０７と第２固定手段１０８）間で装着部１０を幅方向に動かして、表示部２０の配置を調整するための、スリット１１１内での装着部１０の幅方向における空間的余裕である。逆に、装着部１０の最大幅Ａを１００ｍｍ未満とすると、装着部１０が表示部２０を安定して支持できなくなる。このように、最大幅Ａは、１００ｍｍ以上、２００ｍｍ未満が望ましいが、１５０ｍｍ以上、１９０ｍｍ以下とすれば更に好適である。
【００４５】
上述のように、あらゆる車種に対応できるという点で最適な表示部２０の最大幅Ｂは４５０ｍｍ以下の近傍であるが、例えば、トラックやトレーラーなど、車幅の大きい車に適合させる場合や、差込みスリット３０の組３０Ｇｉ（ｉ＝１、２、・・・）が表示部２０に斜め方向に配置される場合など、表示部２０を鉛直方向に真っすぐ表示しなくてよい場合は、最大幅Ｂは４５０ｍｍ以上であってもよい。また、メッセージ、情報が細かい注意書きであるなど、その内容等によっては、最大幅Ｂは２００ｍｍ以上である必要はなく、２００ｍｍ未満であってよい。
【００４６】
支持部
以上、本考案に係るサンバイザ係止パネル１を構成する相互に連結された装着部１０と表示部２０について説明したが、その形状は、図１のように装着部１０と表示部２０の境界端部１Ｓが共に長方形状であるのが最もオーソドックスである。しかし、図３のように、境界端部１Ｓの形状に変化をつけてもよく、これらの形状は特に限定されない。また、本考案に係るサンバイザ係止パネル１は、装着部１０と表示部２０とが一体成形されるのが好ましく、これらを形成する材料は、例えばポリスチレンが軽量で強く、耐熱性、柔軟性にも優れているが、特に限定されることはない。
【００４７】
また、図１のように、表示部２０の境界端部１Ｓが連結線２と平行な下端部２０Ｄを有している場合は、下端部２０Ｄに、これと平行に直線状の補強部材２４を取り付けると、表示部２０の反りを効果的に抑制することができる。また、装着部１０をサンバイザ１１０に装着後、挟持部１２に、固定手段１０６（第１固定手段１０７と第２固定手段１０８）間の所定距離より長い支持部材を取り付けて、装着部１０がスリット１１１から脱落しないようにストッパーとしてもよい。
【００４８】
表示カード５０
本考案に係る表示カード５０は、上下及び左右の端部に画された表面と裏面とを有する矩形状であり、該上下の端部又は左右の両端部にそれぞれ差込み部５２（上差込み部５２Ｕと下差込み部５２Ｄ又は左差込み部５２Ｌと右差込み部５２Ｒ）を設けた。本考案に係るサンバイザ係止パネル１は、複数の差込みスリット３０の組３０Ｇｉ（ｉ＝１，２、・・・）の各組から選んだ２つの差込みスリット３０に、表示カード５０の両端部の差込み部５２をそれぞれ差し込んで、フロントガラス１０４側に凸状に湾曲させることができる。
【００４９】
すなわち、本考案に係るサンバイザ係止パネル１は、図２〜図４のように、複数の差込みスリットの組３０Ｇｉ（ｉ＝１，２、・・・）の各組から選んだ２つの差込みスリット３０に、表示面に文字等を表示した表示カード５０の両端部の差込み部５２をそれぞれ差し込んで、表示部２０の表面及び／又は裏面に表現したメッセージないしは情報を表示することができる。表示カード５０は、表面と裏面とを有し、文字、図形、記号あるいは色又はこれらの組み合わせによる表現を、表面及び／又は裏面に表示する。
【００５０】
差込みスリットの組３０Ｇｉ（ｉ＝１，２、・・・）における１組の差込みスリット３０が、図２のように上下方向に穿設されている場合、表示カード５０は、上差込み部５０Ｕと下差込み部５０Ｄとを、差込みスリットの組３０Ｇｉ（ｉ＝１，２、・・・）の各組から選んだ２つの差込みスリット３０に差し込んで、表面及び／又は裏面に表した文字等を表示する。また、図３のように、１組の差込みスリット３０が、幅方向に穿設されている場合は、左差込み部５０Ｌと右差込み部５０Ｒとを、差込みスリットの組３０Ｇｉ（ｉ＝１，２、・・・）の各組から選んだ２つの差込みスリット３０に差し込んで、表面及び／又は裏面に表した文字等を表示する。このような差込み部は、差込みスリットの組３０Ｇｉ（ｉ＝１，２、・・・）における１組の差込みスリット３０の配列の仕方に応じて、適宜表示カード５０の端部に設ければよい。
【００５１】
図２、図３のように、差込みスリット３０の組３０Ｇｉ（ｉ＝１、２、３、４）が複数あれば、それぞれの差込みスリットの組３０Ｇｉ（ｉ＝１，２、・・・）に、適当な表示の表示カード５０を差し込んで、様々なメッセージを表現することができる。すなわち、本考案に係るサンバイザ係止パネル１は、図４のように、複数の差込みスリットの組３０Ｇｉ（ｉ＝１、２、３、４）の各組から選んだ２つの差込みスリット３０に、表示カード５０の両端部の差込み部５２をそれぞれ差し込んで、フロントガラス１０４側に凸状に湾曲させて、様々なメッセージをフロントガラス１０４越しに表示することができる。
【００５２】
また、差込みスリットの組３０Ｇｉ（ｉ＝１，２、・・・）において選択する２つ差込みスリット３０の距離によって、図４のような表示カード５０の湾曲度を変化させることができる。従来の表示板は平面状にメッセージを表示していたため、表示カード５０を湾曲させ、フロントガラス１０４方向に突出させる本考案のサンバイザ係止パネル１の表示メッセージは、顧客の注意を惹起し、情報伝達や広告・宣伝効果を著しく向上させることができる。
【００５３】
次に、本考案に係るサンバイザ係止パネル１の使用方法について説明する。
【００５４】
［サンバイザ係止パネルの使用方法］
本考案に係るサンバイザ係止パネル１を用いたパネルの使用方法は、
（１）装着部１０と表示部２０とが連結されたサンバイザ係止パネル１を準備するステップと、
（２）複数の表示カード５０を準備するステップと、
（３）表示部２０に穿設された差込みスリット３０の組３０Ｇｉ（ｉ＝１，２、・・・）に、それぞれ適当な表示の表示カード５０を差し込んで、所望のメッセージを表現するステップと、
（４）装着部１０をスリット１１１に挿入し、装着部１０をサンバイザ１１０に装着するステップと、
（５）表示スリット１１１内で装着部１０の配置を調整し、表示部２０の鉛直方向に対する姿勢を調整するステップと、
を含む。
【００５５】
以下、本考案に係るサンバイザ係止パネル１の実施例について説明する。
【実施例１】
【００５６】
最大幅Ｂに対する最大幅Ａの好適な比率
典型的な軽自動車、普通車、トラック、貨物用トレーラーで、サンバイザ１１０のサイズを調べた結果、以下のようなおおよその平均値を得た。
【００５７】
【表１】
0003234391.tif 000003
【００５８】
上記のように、普通車以下（軽自動車又は普通車）のあらゆる車種で、表示部２０を鉛直方向に真っすぐ表示できる好適な表示部２０の最大幅Ｂは、４５０ｍｍ以下の近傍の数十ｍｍ程度である。そして、この時、装着部１０の最大幅Ａは、１００ｍｍ〜２００ｍｍ未満が望ましく、１５０ｍｍ〜１９０ｍｍ以下とすれば更に好適である。しかし、上記［表１］のように、トラック、貨物用トレーラーなどの大型車両では、好適な表示部２０の最大幅Ｂは、４５０ｍｍより大きくなると想定され、この場合、装着部１０の最大幅Ａの好適値も２００ｍｍ以上になると予想される。
【００５９】
そこで、装着部１０がスリット１１１に装着された、図１、図３に示すようなサンバイザ係止パネル１を複数用意して、装着部１０の最大幅Ｂをいくつか変えた場合、装着部１０の最大幅Ａと最大幅Ｂの比率の好適な範囲を調べた。
【００６０】
その結果、表示部２０を安定させて装着部１０をサンバイザ１１０に係止でき、サンバイザ係止パネル１全体の見栄えを良くできる、最大幅Ｂに対する最大幅Ａの比率は、２５％以上４４％未満が好ましく、３３％以上４２％以下であれば更に好適であった。
【実施例２】
【００６１】
次に、実施例２に係る本考案のサンバイザ係止パネル１について、図９（ａ）〜（ｃ）、図１０（ａ）〜図１０（ｄ）を用いて説明する。
【００６２】
図１０（ａ）〜図１０（ｄ）に、実施例２に係るサンバイザ係止パネル１の６面図を示す。図１０（ａ）は、サンバイザ係止パネルの正面図及び背面図を、図１０（ｂ）は右側面図と左側面図及びこれらの部分拡大図を、図１０（ｃ）は平面図、底面図及びこれらの断面図と部分拡大図を、図１０（ｄ）はサンバイザ係止パネルの使用状態を表す参考図を、それぞれ表している。
【００６３】
実施例２に係るサンバイザ係止パネル１において、図９（ａ）左側に示すように、表示部２０と装着部１０とは連結線２で画され、それぞれ長方形状である。表示部２０は幅４５０ｍｍと、高さ（連結線２と下端部２０Ｄとの距離）を３５０ｍｍとし、「ご成約済み」の句を表面に記載した。装着部１０を構成する挟持部と係止部と接続部の幅をいずれも連結線２と同じ１８０ｍｍとし、装着部１０の高さ（挟持部１２の上端と連結線２の距離）を１７５ｍｍとした。
【００６４】
表示部２０に、４組の差込みスリット３０の組３０Ｇｉ（ｉ＝１、２、３、４）を左右方向に配置し、そのそれぞれの組に上方に２つ、下方に１つの計３個の差込みスリット３０を相互に平行となるように上下方向に穿設した。また、各差込みスリット３０の組３０Ｇｉに差し込んで表示する表示カード５０を、図９（ａ）右側に示すように用意した。
【００６５】
図９（ｂ）は、各差込みスリット３０の組３０Ｇｉ（ｉ＝１、２、３、４）の最上段と最下段の差込みスリット３０に、それぞれ「１」、「２」、「３」、「．４万円」の表示カード５０を差し込んだ正面図である。また、図９（ｃ）は、各差込みスリット３０の組３０Ｇｉ（ｉ＝１、２、３、４）の上から２段目と最下段の差込みスリット３０に、それぞれ同様の表示カード５０を差し込んだ正面図である。いずれも、表示カード５０を差し込むことにより「１２３．４万円」のメッセージを表示することができ、表示カード５０を外せば、「ご成約済み」のメッセージを表示することができる。
【００６６】
このように、本考案に係るサンバイザ係止パネル１は、差込みスリットの組３０Ｇｉ（ｉ＝１，２、・・・）の２つの差込みスリット３０の選択の仕方によって、表示カード５０の湾曲度を変化させることができる。そのため、フロントガラス１０４方向への上記メッセージの突出度を変化させることができ、フロントガラス１０４越しに見る当該メッセージの印象を調整することができる。すなわち、本考案のサンバイザ係止パネル１の表示メッセージは、顧客の注意惹起効果に優れ、情報伝達や広告・宣伝効果を著しく向上させることができる。
【実施例３】
【００６７】
ストッパー１２１
上述のように、挟持部１２に、固定手段１０６間の所定距離より長い支持部材を取り付けて、装着部１０がスリット１１１から脱落しないようにストッパーとしてもよいが、本実施例３に係るサンバイザ係止パネル１では、図１１（ａ）〜（ｃ）のように、ストッパー１２１として、装着部１０の挟持部１２に切欠き１２１を設けた。
【００６８】
本実施例３に係るサンバイザ係止パネル１は、装着部１０をサンバイザ１１０に装着した際に、天井面１０２とサンバイザ１１０の上面間に位置する装着部１０の切欠き（ストッパー）１２１を下方に開いてサンバイザ１１０の下面に当接させ、装着部１０と切欠き１２１とでサンバイザ１１０を挟持して、装着部１０がスリット１１１から脱落するのを防ぐことができる。あるいは、図示しないが、切欠き（ストッパー）１２１を、表示部２０に穿設した専用の差込みスリット又は既存の差込みスリットに差し込んで、装着部１０と表示部２０とでサンバイザ１１０を挟持するようにしてもよい。
【００６９】
以上、本考案に係るサンバイザ係止パネル及びその使用方法について説明したが、本考案は上記実施形態及び実施例に限定されるものではない。
【００７０】
その他、本考案は、その主旨を逸脱しない範囲で当業者の知識に基づき種々の改良、修正、変更を加えた態様で実施できるものである。
【産業上の利用可能性】
【００７１】
本考案に係るサンバイザ係止パネルは、車両のサンバイザと天井面間に挿入してサンバイザに係止ないしは装着して、フロントガラス越しに情報を提供する表示具として用いることができる。
【符号の説明】
【００７２】
１：サンバイザ係止パネル
１Ｆ：（サンバイザ係止パネル）表面
１Ｂ：（サンバイザ係止パネル）裏面
１Ｓ：境界端部
２：連結線
１０：装着部
１２：挟持部
１２１：ストッパー（切欠き）
１４：係止部
１６：接続部
２０：表示部
２０ＵＬ：上端左部
２０ＵＲ：上端右部
２０Ｄ：下端部
２０Ｌ：左端部
２０Ｒ：右端部
２４：補強部材
３０：差込みスリット
３０Ｇｉ（ｉ＝１，２、・・・）：差込みスリットの組
５０：表示カード
５０Ｕ：上差込み部
５０Ｄ：下差込み部
５０Ｌ：左差込み部
５０Ｒ：右差込み部
１００：車両
１０２：天井面
１０４：フロントガラス
１０６：固定手段
１０７：第１固定手段
１０８：第２固定手段
１０９：回動軸
１１０：サンバイザ
１１１：スリット
【図１】
0003234391.tif 000004
【図２】
0003234391.tif 000005
【図３】
0003234391.tif 000006
【図４】
0003234391.tif 000007
【図５】
0003234391.tif 000008
【図６】
0003234391.tif 000009
【図７】
0003234391.tif 000010
【図８】
0003234391.tif 000011
【図９】
0003234391.tif 000012
【図１０（ａ）】
0003234391.tif 000013
【図１０（ｂ）】
0003234391.tif 000014
【図１０（ｃ）】
0003234391.tif 000015
【図１０（ｄ）】
0003234391.tif 000016
【図１１】
0003234391.tif 000017
【手続補正書】
【提出日】令和3年8月13日(2021.8.13)
【手続補正１】
【補正対象書類名】実用新案登録請求の範囲
【補正対象項目名】全文
【補正方法】変更
【補正の内容】
【実用新案登録請求の範囲】
【請求項１】
天井面と、フロントガラスと、
所定距離を置いて該天井面に取り付けられた２つの固定手段（第１固定手段及び第２固定手段）と、
該２つの固定手段により、該天井面及び該フロントガラスに平行に固定した回動軸（以下、この固定した回動軸を単に「回動軸」と呼ぶ）と、
該回動軸の周りに回動自在に装着され、該天井面から該フロントガラス方向へ開閉可能な矩形板状のサンバイザと、を備える車両内において、
前記サンバイザに装着可能な上方の装着部と、連結線を境にして該装着部の下方に連結された表示部とで構成され、上下方向と幅方向とを有する２次元状で、表面と裏面とを有するパネルであって、
前記回動軸と前記天井面、および、前記第１固定手段と前記第２固定手段とが形成する、該回動軸に沿った幅が前記所定距離であるスリットに、前記装着部を挿入して装着し、
該装着部と連結された前記表示部の表面又は裏面を表示面として前記フロントガラスに対向させ、該表示面に表現したメッセージを表示するサンバイザ係止パネル。
【請求項２】
請求項１に記載のサンバイザ係止パネルは、前記表面と前記裏面とが境界端部で画定されており、
前記表示部に、相互に平行となるように穿設された複数の差込みスリットの組が１組以上設けられたサンバイザ係止パネル。
【請求項３】
前記表示部において、前記境界端部間の前記幅方向の最大幅（以下、単に「表示部の最大幅」という）は、２００ｍｍ以上、４５０ｍｍ以下である、請求項２に記載のサンバイザ係止パネル。
【請求項４】
前記表示部において、前記境界端部が前記連結線と平行な下端部を有しており、
該下端部に、これと平行に直線状の補強部材を取り付けた、請求項３に記載のサンバイザ係止パネル。
【請求項５】
前記装着部は、
該装着部を前記スリットに挿入して前記サンバイザに装着した際に、
前記回動軸に当接して係止される係止部と、
その上端が該係止部の下端と屈曲可能に連結され、その下端が前記連結線と一致して前記表示部と連結され、該係止部と該表示部とを接続する接続部と、
その下端が該係止部の上端と屈曲可能に連結され、該接続部との間に該サンバイザを挟み込む挟持部と、を含み、
前記装着部を前記スリットに挿入し、前記接続部と前記挟持部との間に前記サンバイザを挟み込み、前記係止部が前記回動軸に当接してこれに係止されて、前記装着部を前記サンバイザに装着する、請求項１に記載のサンバイザ係止パネル。
【請求項６】
前記装着部を構成する挟持部と係止部と接続部における最大幅（以下、単に「装着部の最大幅」という）は、
前記スリットの幅を画定する前記第１固定手段と前記第２固定手段間の前記所定距離よりも小さいことを特徴とする、請求項３に記載のサンバイザ係止パネル。
【請求項７】
前記装着部の最大幅は、１００ｍｍ以上、２００ｍｍ未満である、請求項６に記載のサンバイザ係止パネル。
【請求項８】
前記装着部の最大幅は、１５０ｍｍ以上、１９０ｍｍ以下である、請求項６に記載のサンバイザ係止パネル。
【請求項９】
前記装着部が前記サンバイザに装着された前記サンバイザ係止パネルにおいて、
前記装着部の最大幅は、前記表示部の最大幅の２５％以上４４％未満である、請求項３または請求項６に記載のサンバイザ係止パネル。
【請求項１０】
前記装着部が前記サンバイザに装着された前記サンバイザ係止パネルにおいて、
前記装着部の最大幅は、前記表示部の最大幅の３３％以上４２％以下である、請求項３または請求項６に記載のサンバイザ係止パネル。
【請求項１１】
前記装着部において、前記挟持部に切欠きを設け、該装着部を前記サンバイザに装着した際に、前記天井面と該サンバイザの上面間に挟み込まれた該装着部の該切欠きを下方に起立させて該サンバイザの下面に当接させ、該装着部と該切欠きとで該サンバイザを挟持可能な、請求項６に記載のサンバイザ係止パネル。
【請求項１２】
上下及び左右の端部に画された表面と裏面とを有する矩形状であり、該上下の端部又は左右の両端部にそれぞれ差込み部（上差込み部と下差込み部又は左差込み部と右差込み部）を設けた表示カードを、
前記複数の差込みスリットの組の各組から選んだ２つの差込みスリットに前記両端部の差込み部をそれぞれ差し込んで、フロントガラス側に凸状に湾曲し得ることを特徴とする、請求項２に記載のサンバイザ係止パネル。
【請求項１３】
前記表示カードは、文字、図形、記号あるいは色又はこれらの組み合わせによる表現を、前記表面及び／又は前記裏面に表示し得る、請求項１２に記載のサンバイザ係止パネル。
【請求項１４】
前記第１固定手段は前記天井面に取り付けられた軸受部であり、
前記第２固定手段は、前記天井面から突出し、略直角に折曲して回動軸と連結する縦軸部である、請求項１に記載のサンバイザ係止パネル。